(57)【要約】【課題】迅速な折畳収合ができ同時に携帯及び収納の便利な構造設計を指し、一般の戸外バーベキューレジャー活動に従事する時、更に実用的で便利な効果を提供すること。【解決手段】台座１０・上枠構造２０・灰落箱３０・火床４０及び網枠５０等の部材の組合せで構成したものを含む。その中で、台座１０は２個の相対する外側板及び底盤を結合して構成し、且つ台座１０の位置決め孔と外側板の円形凸状粒の相互嵌合により、その外側板は底盤上に折畳収合の機能を形成できる。また上枠構造２０は２個の相対する外蓋板・内蓋板・内側板及び枠フレームを結合して構成し、外蓋板・内蓋板及び内側板の円形凸状粒と枠フレームの数個の位置決め孔間での相互嵌合により、外蓋板・内蓋板及び内側板もまた枠フレーム上に折畳収合の機能を形成する。【選択図】　図１
0003098523.tif 000002
【実用新案登録請求の範囲】
【請求項１】
台座・上枠構造・灰落箱・火床及び網枠を組合せたものを含む折畳式バーベキュー炉であって、以下の構成からなることを特徴とする一種の折畳式バーベキュー炉。
台座は２個の相対する外側板及び底盤を結合して構成する。その中で、外側板の本体には通し孔を排列設置し、側辺は相対応する側翼を有する構造を形成して、それぞれ側翼表面に円形凸状粒を設置する。また、底盤の２個の相対する長側辺の周辺には位置決め孔を設置し、これにより、同位置決め孔自体は外側板の円形凸状と相互に嵌合して、外側板に底盤上で折畳収合の機能を形成させる；
上枠構造は２個の相対する外蓋板・内蓋板・内側板及び枠フレームを結合して構成する。その中で、外蓋板の本体表面に通し孔を排列設置し、側辺端面箇所に相対応する凸耳を有する構造を形成して、それぞれ凸耳上に円形凸状粒を設置する；内側板の本体内側表面に１個の突片を設け、側辺端面箇所に相対応する凸耳を有する構造を形成して、それぞれ凸耳上に円形凸状粒を設置する；また、上枠構造の本体はそれぞれ外蓋板・内蓋板及び内側板の円形凸状粒の関係位置及び数量に対応して、同じ数量の相互対応する位置決め孔を設置する。これにより、位置決め孔自体は外蓋板・内蓋板及び内側板の円形凸状粒と相互に嵌合し、外蓋板・内蓋板及び内側板もまた枠フレーム上に折畳収合の機能を形成できる。
【請求項２】
台座は単純な四角形の箱状の構造設計とすることができ、上枠構造は２個の相対する略Ｕ型脚フレーム・内蓋板・内側板及び枠フレームを結合して構成し、且つ略Ｕ型脚フレーム・内蓋板及び内側板もまた枠フレーム上に折畳収合の機能を形成することを特徴とする請求項１記載の折畳式バーベキュー炉。
【請求項３】
台座の外側板本体にストッパー凸状粒を増設して、上枠構造の内蓋板及び内側板の機能を代用し、ストッパー凸状粒の関係位置に対応して底盤に受入孔を設置することを特徴とする請求項１記載の折畳式バーベキュー炉。
【請求項４】
台座は単純な四角形の箱状の構造設計とし、内部にＬ型凸ブロックを設置し、上枠構造は外側板・外蓋板・内蓋板及び内側板を結合して構成し、且つ外側板・外蓋板・内蓋板及び内側板もまた枠フレーム上に折畳収合の機能を形成することを特徴とする請求項１記載の折畳式バーベキュー炉。
【請求項５】
上枠構造は外蓋板及び枠フレームを組合せて構成し、且つ枠フレームの表面に１個の円孔を設け、上枠構造を台座の上に設置しアルコールランプ（アルコールブロック或は蝋燭等も使用可）を配置する時、直ちに食物煮炊きの目的を達成し、同時に折畳収合の機能を兼備することができることを特徴とする請求項１記載の折畳式バーベキュー炉。
【請求項６】
同枠フレームもまた適切な鉄線材を代用し使用できることを特徴とする請求項１記載の折畳式バーベキュー炉。
【請求項７】
同枠フレームもまた適切な管材を代用し使用できることを特徴とする請求項１記載の折畳式バーベキュー炉。
【考案の詳細な説明】
【０００１】
【考案の属する技術分野】
本考案は一種の折畳式バーベキュー炉（一）で、特に迅速な折畳収合ができ同時に携帯及び収納の便利な構造設計を指し、一般の戸外バーベキューレジャー活動に従事する時、更に実用的で便利な効果を提供する折畳式バーベキュー炉に関する。
【０００２】
【従来の技術】
現在は戸外レジャー活動が普遍的に重視されると同時に、キャンプ・旅行・バーベキュー及び戸外食事等の戸外活動では、バーベキューは既に不可欠の必須活動項目の一つになっている。日常の使用量の増加に伴い、各形式バーベキュー炉の構造設計及び機能の向上は常に日進月歩と言える。それ故、バーベキュー炉自体が迅速な折畳及び収合ができ、使用者の外出時の携帯及び収納使用を便利にすることは、今日の各形式バーベキュー炉の構造設計において普遍的に重視することである。
【０００３】
【考案が解決しようとする課題】
このことに鑑み、本考案者は改良を考え、実務経験と不断の研究改良進歩を結合して、終に一種の『折畳式バーベキュー炉（一）』を考案し、更に便利性と実用性を具えたバーベキュー炉構造を提供した。本考案の設計により以下の考案目的を達成できる。
【０００４】
本考案設計の目的は、一種の折畳式バーベキュー炉（一）の提供で、その主要なものには、台座・上枠構造・灰落箱・火床及び網枠等の部材の組合せで構成したものを含む。その中で、台座は２個の相対する外側板及び底盤を結合して構成し、且つ台座の位置決め孔と外側板の円形凸状粒は相互に嵌合い、その外側板は底盤上に折畳収合の機能を形成できる。また上枠構造は２個の相対する外蓋板・内蓋板・内側板及び枠フレームを結合して構成し、外蓋板・内蓋板及び内側板の円形凸状粒と枠フレームの数個の位置決め孔の間での相互嵌合により、外蓋板・内蓋板及び内側板もまた枠フレーム上に折畳収合の機能を形成する。この設計により、同折畳式バーベキュー炉はバーベキュー活動の用途に適い、同時に折畳収合及び収納を便利にする主要目的を達成する。
【０００５】
【課題を解決するための手段】
本考案は一種の折畳式バーベキュー炉（一）に関するもので、主要なものは台座・上枠構造・灰落箱・火床及び網枠等の部材の組合せで構成したものを含む。その中で、台座は２個の相対する外側板及び底盤を結合して構成し、且つ台座の位置決め孔と外側板の円形凸状粒の相互嵌合により、その外側板は底盤上に折畳収合の機能を形成できる。また上枠構造は２個の相対する外蓋板・内蓋板・内側板及び枠フレームを結合して構成し、外蓋板・内蓋板及び内側板の円形凸状粒と枠フレームの数個の位置決め孔間での相互嵌合により、外蓋板・内蓋板及び内側板もまた枠フレーム上に折畳収合の機能を形成する。この設計により、同折畳式バーベキュー炉はバーベキュー活動の用途に適い、同時に折畳収合の目的を達成し、且つ収納及び携帯を便利にする機能を兼備し、極めて優れた実用性と便利性を具える。
【０００６】
【考案の実施の形態】
本考案の構造の特徴及び特長を明確に説明する為に、添付図を利用して以下に詳細説明する：
先ず図１は本考案の折畳式バーベキュー炉（１）の立体分解図を示す。その主要なものは、台座（１０）・上枠構造（２０）・灰落箱（３０）・火床（４０）及び網枠（５０）等の部材の組合で構成してある。図２に示すように、同台座（１０）は２個の相対する外側板（１１）及び底盤（１２）を結合して構成してある。その中で、外側板（１１）の本体には若干の通し孔（１１１）を排列設置する。側辺は相対応する側翼（１１２）を有する構造を形成して、それぞれ側翼（１１２）表面の適当な箇所に円形凸状粒（１１３）を設置する。また、底盤（１２）の２個の相対する長側辺（１２１）の周辺には位置決め孔（１２２）を設置し、これにより、位置決め孔（１２２）自体は外側板（１１）の円形凸状（１１３）と相互に嵌合して、外側板（１１）に底盤（１２）上で折畳収合の機能を形成させる。
【０００７】
更に図３を参照して説明する。同上枠構造（２０）は２個の相対する外蓋板（２１）・内蓋板（２２）・内側板（２３）及び枠フレーム（２４）を結合して構成してある。その中で、外蓋板（２１）の本体表面には若干の通し孔（２１１）を排列設置し、側辺端面箇所に相対応する凸耳（２１２）を有する構造を形成して、それぞれ凸耳（２１２）上に円形凸状粒（２１３）を設置する；内蓋板（２２）の本体内側表面の適当な箇所に２個のストッパーブロック（２２１）及び突片（２２２）を設け、側辺端面箇所に相対応する凸耳（２２３）を有する構造を形成して、それぞれ凸耳（２２３）上に円形凸状粒（２２４）を設置する；内側板（２３）の本体内側表面の適当な箇所に１個の突片（２３１）を設け、側辺端面箇所に相対応する凸耳（２３２）を有する構造を形成して、それぞれ凸耳（２３２）上に円形凸状粒（２３３）を設置する；また、枠フレーム（２４）（同枠フレームもまた適切な鉄線材或は管材で代用使用可能）の本体の適当な箇所に、それぞれ上述の外蓋板（２１）・内蓋板（２２）及び内側板（２３）の円形凸状粒（２１３）・（２２４）・（２３３）の関係位置・数量に対応して、同数量及び相互に対応する数の位置決め孔（２４１）を設置する。これにより、位置決め孔（２４１）自体は外蓋板（２１）　・内蓋板（２２）及び内側板（２３）の円形凸状粒（２１３）・（２２４）・（２３３）と相互に嵌合でき、外蓋板（２１）　・内蓋板（２２）及び内側板（２３）もまた枠フレーム（２４）上に折畳収合の機能を形成できる。
【０００８】
本考案の全体構造の組成及び使用については、図１及び図４を参照して説明する。その中で、台座（１０）の外側板（１１）及び上枠構造（２０）の外蓋板（２１）を相互組合せるストッパーは、上枠構造（２０）の外蓋板（２１）を台座（１０）上に直接設置させることができる。同時に内蓋板（２２）及び内側板（２３）の突片（２２２）・（２３１）の構造設計により、灰落箱（３０）をその上に置くことができ、順番に火床（４０）を灰落箱（３０）の上に置き、且つ網枠（５０）自体は上枠構造（２０）の表面箇所に直接置くことができる。この設計により、同折畳式バーベキュー炉（１）は使用者に戸外レジャーバーベキュー活動従事の用途を提供できる。
【０００９】
次に順に図５・６・７・８は本考案の折畳式バーベキュー炉（１）の折畳収合時の実施例図である。使用者は折畳式バーベキュー炉（１）を収合する時は、先ず灰落箱（３０）・火床（４０）及び網枠（５０）等の部材を順次取出し、台座（１０）の外側板（１１）を底盤（１２）上に折畳む。また同上枠構造（２０）の折畳ステップは、順に内側板（２３）・内蓋板（２２）及び外蓋板（２１）等を枠フレーム（２４）上に折畳む。この設計により、台座（１０）及び上枠構造（２０）を迅速に折畳収合でき、且つ使用者の収納及び携帯を便利にする。またその全体収合のステップ過程を相当簡単敏捷にし、使用者に効果的な外出携帯使用を提供する。
【００１０】
本考案の折畳式バーベキュー炉（１）に更に便利機能を具えさせるために、本考案は以下の各種不同型式の運用を行うことができる：
１．　図９・１０・１１に示す如く、その台座（１０）は単純な四角形の箱状の構造設計とすることができる。上枠構造（２０）は２個の相対する略Ｕ型脚フレーム（２５）・内蓋板（２２）・内側板（２３）及び枠フレーム（２４）を結合して構成してある。略Ｕ型脚フレーム（２５）の構造設計により、使用者は上枠構造（２０）を直接台座（１０）の上に設置してストッパーを形成する。且つ略Ｕ型脚フレーム（２５）・内蓋板（２２）及び内側板（２３）もまた枠フレーム（２４）上に折畳収合の機能を形成する。この設計により、同折畳式バーベキュー炉（１）はバーベキュー活動の用途にでき、折畳収合の主要目的を達成する。
２．　図１２・１３・１４に示す如く、同台座（１０）は２個の相対する外側板（１１）及び底盤（１２）を結合して構成してある。その中で、外側板（１１）の本体の適当な位置に若干のストッパー凸状粒（１１４）を設け、これにより、上枠構造（２０）の内蓋板（２２）及び内側板（２３）の機能を代用し、上枠構造（２０）を外蓋板（２１）及び枠フレーム（２４）の組合せたものに省略することができる。その為に、その外側板（１１）のストッパー凸状粒（１１４）は火床（４０）を直接その上に置くことを提供し、且つ台座（１０）の外側板（１１）及び上枠構造（２０）の外蓋板（２１）を相互組合せるストッパーは、上枠構造（２０）を台座（１０）の上に設置させる。また底盤（１２）にもストッパー凸状粒（１１４）の関係位置に対応して、数個の受入孔（１１５）を設ける。この設計により、同折畳式バーベキュー炉（１）　はバーベキュー活動の用途にでき、折畳収合の主要目的を達成する。
３．　図１５・１６・１７に示す如く、その台座（１０）も単純な四角形の箱状の構造設計とすることができ、且つ内部に若干のＬ型凸ブロック（１３）を設置し、原有の２個の相対する外側板（１１）は上枠構造（２０）の上に設置する。同上枠構造（２０）は外側板（１１）・外蓋板（２１）・内蓋板（２２）・内側板（２３）　及び枠フレーム（２４）を結合して構成する。台座（１０）のＬ型凸ブロック（１３）及び上枠構造（２０）の外側板（１１）及び外蓋板（２１）を相互組合せるストッパーは、上枠構造（２０）を台座（１０）上に直接設置させることができる。一方外側板（１１）・外蓋板（２１）・内蓋板（２２）及び内側板（２３）等は、枠フレーム（２４）上に折畳収合の機能を形成する。この設計により、同折畳式バーベキュー炉（１）　はバーベキュー活動の用途にでき、折畳収合の主要目的を達成する。
４．　図１８に示す如く、台座（１０）及び上枠構造（２０）を利用してアルコールランプ（アルコールブロック或は蝋燭等も使用可）を配置し、使用者の食物の煮炊き用途に提供する。その中で、上枠構造（２０）は外蓋板（２１）及び枠フレーム（２４）を組合せて構成する。枠フレーム（２４）の表面に１個円孔を設け、台座（１０）の外側板（１１）及び上枠構造（２０）の外蓋板（２１）を相互組合せるストッパーは、上枠構造（２０）を台座（１０）上に直接設置させることができる。この設計により、食物の煮炊きの目的を達成でき、同時に折畳収合の機能を兼備できる。
【００１１】
【考案の効果】
上に述べたことの綜合として、本考案の「折畳式バーベキュー炉（一）」は、迅速に折畳収合ができ、携帯及び収納を便利にする主要目的を効果的に達成し、一般の戸外バーベキューレジャー活動に従事する時、極めて優れた実用性と便利性を提供する。故に、本考案の設計は誠に１個の優良な考案であり、且つ本考案は前例を見ない設計で、新型特許の申請要件に符合しているので、ここに法に則り申請を提出する。
【図面の簡単な説明】
【図１】本考案の立体分解図である。
【図２】本考案の台座の立体分解図である。
【図３】本考案の上枠構造の立体分解図である。
【図４】本考案の組合断面図である。
【図５】本考案の台座折畳収合時の実施例図である。
【図６】本考案の上枠構造折畳収合時の実施例図（一）である。
【図７】本考案の上枠構造折畳収合時の実施例図（二）である。
【図８】本考案の上枠構造折畳収合時の実施例図（三）である。
【図９】本考案の第二の優れた実施例の立体分解図である。
【図１０】本考案の第二の優れた実施例の上枠構造立体分解図である。
【図１１】本考案の第二の優れた実施例の組合断面図である。
【図１２】本考案の第三の優れた実施例の立体分解図である。
【図１３】本考案の第三の優れた実施例の台座立体分解図である。
【図１４】本考案の第三の優れた実施例の組合断面図である。
【図１５】本考案の第四の優れた実施例の立体分解図である。
【図１６】本考案の第四の優れた実施例の上枠構造立体分解図である。
【図１７】本考案の第四の優れた実施例の組合断面図である。
【図１８】本考案の第五の優れた実施例の組合断面図である。
【符号の説明】
（１）　　　折畳式バーベキュー炉　　　　　　　　　　　　　　　　　　　　（１０）　　　　台座
（１１）　　　外側板　　　　　　　　　　　　　　　　　　　　　　　　　　　　　　　　　　（１１１）　　　通し孔
（１１２）　　側翼　　　　　　　　　　　　　　　　　　　　　　　　　　　　　　　　　　　　（１１３）　　　円形凸状粒
（１１４）　　ストッパー凸状粒　　　　　　　　　　　　　　　　　　　　　　　　（１１５）　　　受入孔
（１２）　　　底盤　　　　　　　　　　　　　　　　　　　　　　　　　　　　　　　　　　　　（１２１）　　　長側辺
（１２２）　　位置決め孔　　　　　　　　　　　　　　　　　　　　　　　　　　　　　　（１３）　　　　Ｌ型凸ブロック
（２０）　　　上枠構造　　　　　　　　　　　　　　　　　　　　　　　　　　　　　　　　（２１）　　　　外蓋板
（２１１）　　通し孔　　　　　　　　　　　　　　　　　　　　　　　　　　　　　　　　　　（２１２）　　　凸耳
（２１３）　　円形凸状粒　　　　　　　　　　　　　　　　　　　　　　　　　　　　　　（２２）　　　　内蓋板
（２２１）　　ストッパーブロック　　　　　　　　　　　　　　　　　　　　　　（２２２）　　　突片
（２２３）　　凸耳　　　　　　　　　　　　　　　　　　　　　　　　　　　　　　　　　　　　（２２４）　　　円形凸状粒
（２３）　　　内側板　　　　　　　　　　　　　　　　　　　　　　　　　　　　　　　　　　（２３１）　　　突片
（２３２）　　凸耳　　　　　　　　　　　　　　　　　　　　　　　　　　　　　　　　　　　　（２３３）　　　円形凸状粒
（２４）　　　枠フレーム　　　　　　　　　　　　　　　　　　　　　　　　　　　　　　（２４１）　　　位置決め孔
（２５）　　　略Ｕ型脚フレーム　　　　　　　　　　　　　　　　　　　　　　　　（３０）　　　　灰落箱
（４０）　　　火床　　　　　　　　　　　　　　　　　　　　　　　　　　　　　　　　　　　　（５０）　　　　網枠
【図１】
0003098523.tif 000003
【図２】
0003098523.tif 000004
【図３】
0003098523.tif 000005
【図４】
0003098523.tif 000006
【図５】
0003098523.tif 000007
【図６】
0003098523.tif 000008
【図７】
0003098523.tif 000009
【図８】
0003098523.tif 000010
【図９】
0003098523.tif 000011
【図１０】
0003098523.tif 000012
【図１１】
0003098523.tif 000013
【図１２】
0003098523.tif 000014
【図１３】
0003098523.tif 000015
【図１４】
0003098523.tif 000016
【図１５】
0003098523.tif 000017
【図１６】
0003098523.tif 000018
【図１７】
0003098523.tif 000019
【図１８】
0003098523.tif 000020